(57)【要約】【課題】小型モニタにＨＤ解像度の映像を表示する際に、ＨＤコンテンツの主映像を画面サイズに合わせた縮尺で表示しても、字幕、ボタン等の副映像を見やすくする。【解決手段】接続された表示モニタ（１０４）のモニタ情報を取得するためのモニタ情報解析手段（１３２）と、光ディスクに記録された複数の副映像データを管理する副映像データ管理情報（ＲＤ，ＲＬ）を取得するための副映像情報解析手段（１３３）と、取得したモニタ情報に基づいて、前記副映像データ管理情報（ＲＤ、ＲＬ）から、表示モニタに適した副映像データを選択する選択手段（１３４、１３５）と、前記表示モニタ（１０４）に適した副映像データを映像処理し、主映像と重ね合わせて表示する画像出力手段（１０３）とを備える。【選択図】図２
2010277640.tif 000002
【特許請求の範囲】
【請求項１】
接続された表示モニタのモニタ情報を取得するためのモニタ情報解析手段と、
光ディスクに記録された複数の副映像データを管理する副映像データ管理情報を取得するための副映像情報解析手段と、
取得したモニタ情報に基づいて、前記副映像データ管理情報から、表示モニタに適した副映像データを選択する選択手段と、
前記表示モニタに適した副映像データを映像処理し、主映像と重ね合わせて表示する画像出力手段と
を備えた光ディスク再生装置。
【請求項２】
前記副映像情報解析手段は、前記副映像データ管理情報として、複数の副映像データのうち互いに異なる解像度で表示可能な互いに同一内容の複数の副映像データ同士を識別する同一内容識別子を取得する
ことを特徴とする請求項１に記載の光ディスク再生装置。
【請求項３】
前記選択手段は、前記取得したモニタ情報に基づいて、前記同一内容識別子を参照して、互いに異なる解像度で表示可能な互いに同一内容の複数の副映像データのうち、表示解像度が大きい副映像データを選択する
ことを特徴とする請求項２に記載の光ディスク再生装置。
【請求項４】
前記副映像情報解析手段は、前記副映像データ管理情報として、複数の副映像データのうち互いに異なる解像度で表示可能な互いに同一内容の複数の副映像データ同士を識別する同一内容識別子と、異なる表示解像度をレベル分けした解像度レベル情報を取得し、
前記選択手段は、取得したモニタ情報に基づいて、前記同一内容識別子および前記解像度レベル情報を参照して、前記互いに異なる解像度で表示可能な互いに同一内容の複数の副映像データのうち、前記モニタ情報の解像度に応じた解像度レベルの副映像データを選択する
ことを特徴とする請求項１に記載の光ディスク再生装置。
【請求項５】
再生環境に応じて設定される再生環境設定部に車載環境であることを特定する車載環境設定情報があるか否かを読み込む手段と、
光ディスクに記録された複数の副映像データを管理する副映像データ管理情報を取得するための副映像情報解析手段と、
前記車載環境設定情報に基づいて、前記副映像データ管理情報から、表示解像度が大きい副映像データを選択する選択手段と、
前記表示解像度が大きい副映像データを映像処理し、主映像と重ね合わせて表示する画像出力手段と
を備えた光ディスク再生装置。
【請求項６】
前記副映像情報解析手段は、前記副映像データ管理情報として、複数の副映像データのうち互いに異なる解像度で表示可能な互いに同一内容の複数の副映像データ同士を識別する同一内容識別子を取得する
ことを特徴とする請求項５に記載の光ディスク再生装置。
【請求項７】
前記選択手段は、前記車載環境設定情報に基づいて、前記同一内容識別子を参照して、互いに異なる解像度で表示可能な互いに同一内容の複数の副映像データのうち、表示解像度が大きい副映像データを選択する
ことを特徴とする請求項６に記載の光ディスク再生装置。
【請求項８】
前記副映像情報解析手段は、前記副映像データ管理情報として、複数の副映像データのうち互いに異なる解像度で表示可能な互いに同一内容の複数の副映像データ同士を識別する同一内容識別子と、異なる表示解像度をレベル分けした解像度レベル情報を取得し、
前記選択手段は、前記車載環境設定情報に基づいて、前記同一内容識別子および解像度レベル情報を参照して、前記互いに異なる解像度で表示可能な互いに同一内容の複数の副映像データのうち、前記モニタ情報の解像度に応じた解像度レベルの副映像データを選択する
ことを特徴とする請求項５に記載の光ディスク再生装置。
【請求項９】
インターネットへの接続のための手段と、
光ディスクに記録されたプログラムに基づいてインターネット上の、前記光ディスクの関連サイトにアクセスする手段と、
前記光ディスクの関連サイトからダウンロードする際に、前記再生環境設定部の車載環境設定情報に基づいて、前記互いに異なる解像度で表示可能な互いに同一内容の複数の副映像データをダウンロードする手段と、
ダウンロードした、前記副映像データを保存するローカル記憶領域と、
ダウンロードした、互いに異なる解像度で表示可能な互いに同一内容の複数の副映像データ、およびそれらの副映像データを管理する副映像データ管理情報を前記ローカルな記録領域にデータを保存する手段と、
前記光ディスクと前記ローカル記録領域を一つの記憶媒体として再生する手段とを備え、
これらにより、ダウンロードした、互いに異なる解像度で表示可能な、互いに同一内容の複数の副映像データの中から再生する副映像データを選択する
ことを特徴とする請求項５に記載の光ディスク再生装置。
【請求項１０】
映像コンテンツの主映像データと、
字幕やメニュー用グラフィックとして利用する、互いに異なる解像度で表示可能な互いに同一内容の複数の副映像データと、
前記複数の副映像データを管理する副映像データ管理情報と
を記録した光ディスク。
【請求項１１】
前記副映像データ管理情報として、
互いに異なる解像度で表示可能な互いに同一内容の複数の副映像データ同士を管理する同一内容識別子を記録した
ことを特徴とする請求項１０に記載の光ディスク。
【請求項１２】
前記副映像データ管理情報として、
互いに異なる解像度で表示可能な互いに同一内容の複数の副映像データ同士を管理する同一内容識別子と、
異なる表示解像度をレベル分けした解像度レベル情報と
を記録したことを特徴とする請求項１０に記載の光ディスク。
【発明の詳細な説明】
【技術分野】
【０００１】
この発明は、光ディスク再生装置及び光ディスクに関し、特に車載環境等で用いられる小型モニタに映像信号を提供するのに適した光ディスク再生装置、および光ディスクに関するものである。
【背景技術】
【０００２】
従来、カーナビゲーションシステム等の車載装置では、ナビゲーション機能の他に、映像再生機能としてＤＶＤビデオ等の光ディスクの再生が可能となっている。
【０００３】
家庭用光ディスク再生装置ではＤＶＤビデオを発展させて、インタラクティブ再生やハイビジョン（ＨＤ）再生を可能にしたＢｌｕ−ｒａｙ  Ｄｉｓｃ（ＢＤ）も普及している。ＢＤではインタラクティブグラフィックと呼ばれる副映像を表示可能にした特許文献１がある。
【先行技術文献】
【特許文献】
【０００４】
【特許文献１】国際公開ＷＯ０５／０７８７２７公報
【発明の概要】
【発明が解決しようとする課題】
【０００５】
特許文献１に記載の光ディスク再生装置は、ＨＤ（Ｈｉｇｈ  Ｄｅｆｉｎｉｔｉｏｎ）コンテンツを主映像として、インタラクティブグラフィック等を副映像として、ＨＤ解像度の映像を車載環境等における小型モニタに表示するために字幕やボタン等を画面サイズに合わせてそのまま縮小するために字幕やボタンが見えにくくなる問題があった。また、車載環境等における小型モニタはタッチパネルを採用しているものもあり、ＤＶＤのメニュー画面を表示した際のボタンをタッチパネルで選択することができるが、タッチパネルのセンサーの粒度が荒い場合、同様の理由でボタンが小さくなるためにセンサー位置とボタン表示の領域にずれが生じてしまう問題があった。
【０００６】
そこで、本発明は、光ディスク再生装置に接続されたモニタのモニタサイズ又は再生装置環境に応じて、光ディスク内に記録された、異なる解像度で表示可能な字幕情報、及び／又はボタン情報をモニタサイズや再生装置環境に応じて判定し、前記判定に基づいた表示をすることができる光ディスク再生装置を得ることを目的とする。
【課題を解決するための手段】
【０００７】
本発明の光ディスク再生装置は、
接続された表示モニタのモニタ情報を取得するためのモニタ情報解析手段と、
光ディスクに記録された複数の副映像データを管理する副映像データ管理情報を取得するための副映像情報解析手段と、
取得したモニタ情報に基づいて、前記副映像データ管理情報から、表示モニタに適した副映像データを選択する選択手段と、
前記表示モニタに適した副映像データを映像処理し、主映像と重ね合わせて表示する画像出力手段とを備える。
【発明の効果】
【０００８】
上記のような構成を備えたことにより、光ディスク再生装置に接続された小型モニタにＨＤ解像度の映像を表示する際に、ＨＤコンテンツの主映像を画面サイズに合わせた縮尺で表示しても、字幕、ボタン等の副映像は上記縮尺で表示せずに個別の縮尺で表示させることで、小型モニタでも見やすい副映像を提供することが可能となる。
【図面の簡単な説明】
【０００９】
【図１】本発明の実施の形態１の光ディスク再生装置を示すブロック図である。
【図２】図１の制御部１０２の構成例を示す図である。
【図３】実施の形態１で用いられる光ディスク１２０に記録されているデータを示す概略図である。
【図４】実施の形態１で用いられる光ディスク１２０に記録されたディレクトリおよびファイル構造図である。
【図５】実施の形態１で用いられる光ディスク１２０に記録された各ファイル間の関係図である。
【図６】実施の形態１で用いられる、光ディスク１２０に記録されたプレイリストのメインパスとサブパスの構成例の図である。
【図７】本発明の実施の形態２の光ディスク再生装置を示すブロック図である。
【図８】図７の制御部１４０の構成例を示す図である。
【発明を実施するための形態】
【００１０】
実施の形態１．
以下、図面を参照してこの発明の実施の形態１を説明する。この発明の光ディスク再生装置は、Ｂｌｕ−ｒａｙ  Ｄｉｓｃ（以下、ＢＤ）ビデオ等の映像フォーマットで記録された光ディスクを再生することができる。
【００１１】
図１はこの発明の実施の形態１における光ディスク再生装置を示すブロック図であり、図２は、図１の制御部１０２の構成例を示す図である。図１及び図２を参照して、実施の形態の１における光ディスク再生装置の構成について説明する。
【００１２】
図示の光ディスク再生装置は、映像再生部１０８と、画像出力部１０３と、音声出力部１０５と、リモコン受光部１０１と、制御部１０２と、光ディスクドライブ１１９とを備える。
制御部１０２は、図２に示すように、ＣＰＵ１２９と、プログラムメモリ１３０と、データメモリ１３１と、モニタ情報取得部１３２と、副映像情報解析部１３３と、グラフィック決定部１３４と、フォントサイズ決定部１３５とを有する。
【００１３】
映像再生部１０８は、光ディスク１２０に記録された映像及び音声データ等をデジタル映像データおよびデジタル音声データに変換処理する。
画像出力部１０３は、映像再生部１０８で処理されたデジタル映像データと、後述のＣＰＵ１２９で生成されたＯＳＤ（オンスクリーンディスプレイ）データを重畳し、後段の１つ又は複数のモニタ１０４に出力可能な映像信号フォーマットに変換して出力する。
モニター１０４は、画像出力部１０３の出力を表示する。
【００１４】
音声処理部１０５は、映像再生部１０８で処理されたデジタル音声データを後述の１つ又は複数のスピーカー１０６に出力可能な音声信号フォーマットに変換して出力する。
スピーカー１０６は、音声処理部１０５の出力を音声に変換する。
【００１５】
プログラムメモリ１３０は、例えばＲＯＭ（ｒｅａｄ  ｏｎｌｙ  ｍｅｍｏｒｙ）で構成され、ＣＰＵ１２９で実行するプログラム等を格納している。
ＣＰＵ１２９は、プログラムメモリ１３０に格納されたプログラムを実行する。この光ディスク再生装置の各ブロックの動作を制御する。
データメモリ１３１は、ＣＰＵ１２９の動作に伴うデータの読み書きに用いられる。データメモリ１３１は例えば光ディスク１２０から読み出されたデータ、リモコン受光部１０１からのデータ等を保持する。
【００１６】
リモコン受光部１０１は、リモコン１０７より発信された操作信号を受信し、受信した操作信号をＣＰＵ１２９に伝達する。
リモコンで１０７は、ユーザにより操作される再生、停止等のユーザ操作を入力するものであり、ユーザが前記リモコン１０７を操作することにより、リモコンより赤外線等の操作信号を発信する。
【００１７】
光ディスク１２０は、図３に示すデータを記憶するものであり、対応する映像フォーマットの光ディスクドライブ１１９に挿入される。
【００１８】
光ディスク１２０は、映像フォーマットで記録されており、１つ又は複数の記録された映像コンテンツを有し、また記録された映像コンテンツの中から再生するものを選択するためのメニュー画面を表すデータを有している。メニュー画面は、メニュー画面の背景となる映像コンテンツと、背景の映像コンテンツとは別に、他の記録された映像コンテンツを再生するための選択、字幕や音声言語の設定等を行うためのボタンを有し、ボタンを表示する際のグラフィック情報や、ボタンの選択や実行時に実行されるナビゲーションコマンド情報を含むボタン情報を持つことができる。また、ボタンに文字を表示する際には文字をグラフィック情報の一つとして持たせる以外に、文字をテキストデータとして持ち、ボタン情報とは別に記録されたフォントデータを利用して、ボタンのグラフィック情報に重畳して文字を表示することもできる。また、本編再生の字幕表示時の字幕情報がテキストデータで記録されている場合はフォントデータを利用して表示する。
【００１９】
図３には、光ディスク１２０に、主映像データ１２１、副映像データ１２２、フォントデータ１２３、音声データ１２４、及び再生制御データ１２５が記録されていることが示されている。
主映像１２１は、光ディスクに記録された１つ又は複数の主たる映像コンテンツの映像情報を含む映像データとなる主映像データである。
音声データ１２４は、光ディスクに記録された１つ又は複数の主たる映像コンテンツの音声情報を含む。
【００２０】
副映像データ１２２はメニュー画面表示時のボタンのグラフィック情報やナビゲーションコマンド情報や、本編再生中の字幕等を表示する際の字幕情報等の副映像情報を有する。副映像データ１２２は、異なる解像度で表示可能な複数の副映像データを含む。
フォントデータ１２３は副映像データ１２２で表示する文字がテキストデータで記録されていた場合に利用するフォント情報であり、複数のフォントサイズに対応する。
再生制御データ１２５は、光ディスクに記録された、主映像データ１２１、副映像データ１２２、フォントデータ１２３、音声データ１２４の各データの再生制御を行うためのものである。
【００２１】
主映像データ１２１、副映像データ１２２、フォントデータ１２３の映像データはそれぞれ主映像処理部１１１、副映像処理部１１２、フォント処理部１１３で処理された後、互いに重畳されて画像出力部１０３にデジタル映像データとして出力される。音声データ１２４の音声データは音声処理部１１４で映像データの各処理部と同期をとりながら音声出力部にデジタル音声データとして出力する。
【００２２】
モニタ情報取得部１３２は、接続されたモニタ１０４のモニタ情報を取得する。
副映像情報解析部１３３は光ディスク１２０から読み込んだ再生制御情報１２５および副映像データ１２２を解析し、利用可能なメニューのグラフィック情報をグラフィック決定部１３４に送信する。
【００２３】
グラフィック決定部１３４は、副映像情報解析部１３３から利用可能なメニューのグラフィック情報ＧＲＡと、モニタ情報取得部１３２で取得したモニタ情報ＭＤからモニタサイズを受け取り、利用するグラフィックを決定（異なるサイズのうちのいずれかを選択）する。
グラフィック決定部１３４で決定したグラフィックＧＲを映像再生部１０８の副映像処理部１１２に送信し、副映像処理部１１２では、副映像データを処理する際にグラフィック決定部１３５で決定したグラフィックに基づいて処理する。
【００２４】
また、光ディスク１２０の副映像データ１２２がフォントデータ１２３を利用するものである場合、副映像情報解析部１３３は副映像の再生制御情報１２５および副映像データ１２２及びフォントデータ１２３を解析し、利用可能な利用可能なフォントサイズ情報ＦＳＡをフォントサイズ決定部１３５に送信する。
【００２５】
フォントサイズ決定部１３５は、副映像情報解析部１３３から利用可能なフォントサイズ情報ＦＳＡと、モニタ情報取得部１３２で取得したモニタ情報ＭＤのモニタサイズを受け取り、利用するフォントサイズＦＳＵを決定する。
フォントサイズ決定部１３５で決定したフォントサイズＦＳＵを映像再生部１０８のフォント処理部１１３に送信し、フォント処理１１３では、フォントデータを処理する際にフォントサイズ決定部１３５で決定したフォントサイズＦＳＵに基づいて処理する。
【００２６】
次に、光ディスク１２０に記録された映像フォーマットがＢＤビデオの場合を例に、本実施の形態の処理を説明する。光ディスク再生装置の電源がＯＮされると、ＣＰＵ１２９はモニタ情報取得部１３２にモニタ情報取得要求ＭＡａを出す。要求を受け取ったモニタ情報取得部１３２はモニタ１０４に対してＨＤＭＩ等の接続ケーブルを介してモニタ情報の取得要求ＭＡｂを行う。モニタ１０４はモニタ情報取得部１３２からのモニタ情報取得要求ＭＡｂに従い、モニタ解像度、モニタインチサイズ、設置位置情報（「助手席付近」、「後部座席付近」等）を含むモニタ情報ＭＤをモニタ情報取得部１３２に対して送信する。
【００２７】
なお、上記のように、モニタ情報の取得を光ディスク再生装置の電源ＯＮ時に行なう代わりに、モニタの電源をＯＮにした際に、モニタ情報取得部１３２がモニタの電源ＯＮを検知して、これに基づきモニタ情報の取得を行なうようにしても良い。
【００２８】
次に、光ディスク再生装置の図示しない光ディスクドライブ１１９にＢＤ−ＲＯＭメディア／ＢＤビデオの映像フォーマットで記録された光ディスク１２０が挿入された場合について説明する。
【００２９】
ＣＰＵ１２９は光ディスクドライブ１１９にディスクが挿入されたことを検知すると、光ディスクドライブ１１９に挿入された光ディスクがどのような物理フォーマットなのかを問い合わせる物理情報取得要求ＰＡを行う。光ディスクドライブ１１９はＣＰＵ１２９に対して、物理情報取得要求ＰＡの返答として挿入された光ディスクの物理情報ＰＤとしてＢＤ−ＲＯＭであることを示すデータを送信する。
【００３０】
ＣＰＵ１２９は取得した物理情報ＰＤを基に、対応するファイルシステムの解析処理を実行し、光ディスクに記録された映像フォーマットの論理情報を読込可能な状態にする。光ディスク１２０の場合はＵＤＦ（Ｕｎｉｖｅｒｓａｌ  Ｄｉｓｋ  Ｆｏｒｍａｔ）ファイルシステムの解析処理を行う。
【００３１】
ＣＰＵ１２９は、ファイルシステムの解析処理によって、光ディスクに記録されたディレクトリやファイルをアクセス可能になり、どのような映像フォーマットで記録されているのかを判断可能となる。
【００３２】
図４は、ＢＤビデオの映像フォーマットで記録された光ディスク１２０のディレクトリ・ファイル構成を示したものである。本図において、Ｒｏｏｔディレクトリ下に、ＢＤＭＶディレクトリがある。ＢＤＭＶディレクトリ下には、インデックスファイル“Ｉｎｄｅｘ．ｂｄｍｖ”、ムービーオブジェクトファイル“ＭｏｖｉｅＯｂｊｅｃｔ．ｂｄｍｖ”、プレイリストディレクトリ“ＰＬＡＹＬＩＳＴ”、クリップ情報ディレクトリ“ＣＬＩＰＩＮＦ”、ストリームディレクトリ“ＳＴＲＥＡＭ”、ＢＤ−Ｊオブジェクトディレクトリ“ＢＤＪＯ”、ＢＤ−Ｊアーカイブディレクトリ“ＪＡＲ”、およびバックアップディレクトリ“ＢＡＣＫＵＰ”が記録される。
【００３３】
インデックスファイル “Ｉｎｄｅｘ．ｂｄｍｖ”には、ＢＤＭＶディレクトリの内容について記録される。インデックスファイルは、メディア全体を管理するファイルであり、ユーザに見せるタイトルとモービーオブジェクトの対応関係を管理している。
また、ムービーオブジェクトファイル“ＭｏｖｉｅＯｂｊｅｃｔ．ｂｄｍｖ”は、１つ以上のムービーオブジェクトの情報が記録される。ムービーオブジェクトは、再生されるプレイリストを管理しているファイルである。
【００３４】
プレイリストディレクトリ“ＰＬＡＹＬＩＳＴ”は、１つ以上のＡＶストリームと、そのＡＶストリームにおける再生経路とから構成されるプレイリストのデータベースを記録した、拡張子“ｍｐｌｓ”を持つプレイリストファイル００００１．ｍｐｌｓ、００００２．ｍｐｌｓ、００００３．ｍｐｌｓ、…を、記録したディレクトリである。
【００３５】
クリップ情報ディレクトリ“ＣＬＩＰＩＮＦ”は、後述のストリームディレクトリに記録されたＡＶストリームの所定データ単位としたクリップＡＶストリームを再生する上で必要な情報を記録した、拡張子“ｃｌｐｉ”を持つクリップ情報ファイルを記録したディレクトリである。
【００３６】
ストリームディレクトリ“ＳＴＲＥＡＭ”は、ＭＰＥＧ２−ＴＳで記録されたストリームを記録した、拡張子“ｍ２ｔｓ”を持つＡＶストリームファイルを、記録したディレクトリである。
【００３７】
ＡＶストリームは、主映像としての“プライマリビデオストリームデータ”及び“セカンダリビデオストリームデータ（ＰｉｎＰ（picture-in-picture表示)時に利用）”、副映像としての“プレゼンテーショングラフィックストリームデータ（字幕やテロップ等）”、“テキストサブタイトルストリームデータ（字幕）”及び“インタラクティブグラフィックストリームデータ（メニューやポップアップメニューのボタン操作等）”、音声としての“プライマリオーディオストリームデータ”及び“セカンダリオーディオストリームデータ（ＰｉｎＰ時に利用）”等のストリームデータをＭＰＥＧ２−ＴＳ形式で多重化したものである。
【００３８】
図５は、インデックスファイル（“Ｉｎｄｅｘ．ｂｄｍｖ”）のインデックスと、ムービーオブジェクトファイル（“ＭｏｖｉｅＯｂｊｅｃｔ．ｂｄｍｖ”）のムービーオブジェクトと、プレイリストディレクトリ（“ＰＬＡＹＬＩＳＴ”）のプレイリストと、クリップ情報ディレクトリ（“ＣＬＩＰＩＮＦ”）のクリップ情報、ストリームディレクトリ（“ＳＴＲＥＡＭ”）のＡＶストリームファイルの一部として所定データ単位としたクリップＡＶストリームの関係を示したものである。
【００３９】
なお、所定データ単位のクリップＡＶストリームファイルと対応するクリップ情報ファイルをまとめて便宜上クリップと呼ぶことがある。
【００４０】
再生管理情報としてのプレイリスト（ＰｌａｙＬｉｓｔ）は、いくつかのプレイアイテム（ＰｌａｙＩｔｅｍ）の並びによる再生経路を持ち、これをメインパス（Ｍａｉｎ  ｐａｔｈ）と称する。また、プレイリストはメインパスと平行して、サブプレイアイテム（ＳｕｂＰｌａｙＩｔｅｍ）の並びによる再生経路を持つサブパス（Ｓｕｂ  ｐａｔｈ）を持つことができる。図６はメインパスとサブパスの構成例を示すものである。プレイアイテム同様に、サブプレイアイテムも、クリップ（クリップ情報、クリップＡＶファイル）を持つことができる。
【００４１】
図６の例の場合、ＰｌａｙＬｉｓｔは、３つのＰｌａｙＩｔｅｍの並びにより作られる１つのメインパスと、３つのサブパスを有している。メインパスを構成するＰｌａｙＩｔｅｍには、先頭から順番にそれぞれＩＤ（Ｉｄｅｎｔｉｆｉｃａｔｉｏｎ）が付されている。具体的には、メインパスは、ＰｌａｙＩｔｅｍ＿ｉｄ＝０、ＰｌａｙＩｔｅｍ＿ｉｄ＝１、およびＰｌａｙＩｔｅｍ＿ｉｄ＝２のＰｌａｙＩｔｅｍからなる。３つのサブパスにはＳｕｂｐａｔｈ＿ｉｄ＝０、Ｓｕｂｐａｔｈ＿ｉｄ＝１、およびＳｕｂｐａｔｈ＿ｉｄ＝２とそれぞれＩＤが付されている。Ｓｕｂｐａｔｈ＿ｉｄ＝０のサブパスには、１つのＳｕｂＰｌａｙＩｔｅｍが含まれ、Ｓｕｂｐａｔｈ＿ｉｄ＝１のサブパスには、２つのＳｕｂＰｌａｙＩｔｅｍが含まれ、Ｓｕｂｐａｔｈ＿ｉｄ＝２のサブパスには、１つのＳｕｂＰｌａｙＩｔｅｍが含まれる。
【００４２】
本実施の形態の光ディスク１２０には、互いに異なる解像度で表示可能な複数の副映像情報として、“プレゼンテーショングラフィックストリームデータ”、“テキストサブタイトルストリームデータ”及び“インタラクティブグラフィックストリームデータ”が含まれている。これらの“プレゼンテーショングラフィックストリームデータ”、“テキストサブタイトルストリームデータ”及び“インタラクティブグラフィックストリームデータ”の各々には、互いに異なる解像度で、互いに同一内容の表示を行うための複数のデータが含まれ、内容を示す内容識別子(互いに同一内容であることを示す同一内容識別子)ＲＤと、表示解像度に応じて重み付けされた解像度レベル情報（異なる表示解像度をレベル分けした情報、即ち解像度を示す情報）ＲＬとが付加されている。これらの同一内容識別子ＲＤ及び解像度レベル情報ＲＬは、ストリームデータの属性情報の一部をなす。
これらの同一内容識別子ＲＤ及び解像度レベル情報ＲＬは、「副映像データ管理情報」の一部をなす。
【００４３】
ＣＰＵ１２９は、挿入された光ディスクのファイルシステムデータをデータメモリ１３１に読込み、解析することで上記のディレクトリおよびファイルを光ディスクから読込むことができ、ＢＤビデオの映像フォーマットで記録されていることを判断する。
ＣＰＵ１２９は、ＢＤビデオの再生処理としてインデックスファイルＩｎｄｅｘ．ｂｄｍｖをデータメモリ１３１に読込み、ファーストプレイ再生のためのムービーオブジェクト（ＢＤ−Ｊの場合、ＢＤ−Ｊオブジェクト）を特定する。
【００４４】
以下、ムービーオブジェクトの場合を例に説明を行う。ＣＰＵ１２９は、ムービーオブジェクトをデータメモリ１３１に読込むと、ムービーオブジェクト内に記録されたナビゲーションコマンドを実行する。ナビゲーションコマンドの実行によりプレイリストの再生要求があった場合、指定されたプレイリスト番号に対応したプレイリストファイルをデータメモリ１３１に読込む。
【００４５】
ＣＰＵ１２９は、データメモリ１３１に読込まれたプレイリストファイル００００１．ｍｐｌｓ、００００２．ｍｐｌｓ、００００３．ｍｐｌｓ、…から、プレイアイテム（メインパス）およびサブパスの再生経路で用いられる、ＳＴＮ＿Ｔａｂｌｅ(ストリーム番号テーブル）情報を読み出す。
【００４６】
ＳＴＮ＿Ｔａｂｌｅ情報には、多重化されたクリップＡＶストリーム内のストリームデータの登録情報（ｓｔｒｅａｍ＿ｅｎｔｒｙ）と、ストリームデータの属性情報（ｓｔｒｅａｍ＿ａｔｔｒｉｂｕｔｅｓ）が記録されており、ＣＰＵ１２９は、上記登録情報で特定される再生経路に従い、再生処理する主映像の“ビデオストリームデータ”および音声の“オーディオストリームデータ”を決定する。
【００４７】
一方、再生処理する副映像においては、“プレゼンテーショングラフィックストリームデータ”及び“インタラクティブグラフィックストリームデータ”に該当するストリームデータの登録情報には同一内容識別子ＲＤと解像度レベル情報ＲＬが、“テキストサブタイトルストリームデータ”に該当するストリームデータの登録情報には同一内容識別子ＲＤと解像度レベル情報ＲＬ、フォントサイズに関する情報が記録されているため、副映像情報解析部１３３にＳＴＮ＿Ｔａｂｌｅ情報を送信する。
【００４８】
副映像情報解析部１３３は、ＳＴＮ＿Ｔａｂｌｅ情報を解析し、利用可能な“プレゼンテーショングラフィックストリームデータ”及び“インタラクティブグラフィックストリームデータ”の登録情報と属性情報のリストをグラフィック決定部１３４に送り、グラフィック決定部１３４はモニタ情報取得部１３２からのモニタ情報ＭＤに基づいて、利用する“プレゼンテーショングラフィックストリームデータ”及び“インタラクティブグラフィックストリームデータ”を決定する。
【００４９】
また、副映像情報解析部１３３は、利用可能な“テキストサブタイトルストリームデータ”の登録情報と属性情報のリストをフォントサイズ決定部１３５に送り、フォントサイズ決定部１３５は、モニタ情報取得部１３２からのモニタ情報ＭＤに基づいて、利用する“テキストサブタイトルストリームデータ”のフォントサイズを決定する。
【００５０】
グラフィック決定部１３４、およびフォントサイズ決定部１３５で決定した、利用する“プレゼンテーショングラフィックストリームデータ”及び“インタラクティブグラフィックストリームデータ”、およびフォントサイズが指定された“テキストサブタイトルストリームデータ”は、副映像処理部１１２内のプレゼンテーショングラフィックデコーダ１１２Ａ、インタラクティブグラフィックデコーダ１１２Ｂ、フォント処理部１１３内のテキストサブタイトルデコーダ１１３Ａにおいてデコード処理され、それぞれデジタル映像データ化される。
【００５１】
同時に“ビデオストリームデータ”をビデオデコーダでデコード処理することで得られるデジタル映像データと、副映像のデジタル映像データを重畳し、画像処理部１０３に出力される。画像出力部１０３では再生処理部１０８から出力された重畳されたデジタル映像データと、ＣＰＵ１２９で生成されたＯＳＤデータを重畳して、モニタ１０４に対応した映像信号フォーマットに変換して出力する。一方、“オーディオストリームデータ”はオーディオデコーダでデコード処理され、デジタル音声データとして音声出力部１０５に出力され、音声出力部１０５はスピーカー１０６に対応した音声信号フォーマットに変換して出力する。
【００５２】
本実施の形態では、同一内容識別子ＲＤと解像度レベル情報ＲＬをストリームデータの登録情報に（登録情報の一部として）記録した際の例を説明したが、ストリームデータの属性情報等の別の場所に（別の情報の一部として）記録してもよい。
以下に、同一内容識別子ＲＤと解像度レベル情報ＲＬをストリームデータの属性情報に（属性情報の一部として）記録した場合の例を記載する。
【００５３】
ＳＴＮ＿Ｔａｂｌｅ情報には、多重化されたクリップＡＶストリーム内のストリームデータの登録情報（ｓｔｒｅａｍ＿ｅｎｔｒｙ）と、ストリームデータの属性情報（ｓｔｒｅａｍ＿ａｔｔｒｉｂｕｔｅｓ）が記録されており、“プレゼンテーショングラフィックストリームデータ”及び“インタラクティブグラフィックストリームデータ”の属性情報には、言語コードの他に、同一の言語コードであっても異なる内容を表示することを防ぐための同一内容識別子ＲＤと、表示解像度に応じて重み付けされた解像度レベル情報ＲＬが記録されている。
【００５４】
副映像情報解析部１３３は、利用可能な“プレゼンテーショングラフィックストリームデータ”及び“インタラクティブグラフィックストリームデータ”の登録情報と属性情報のリストをグラフィック決定部１３４に送り、グラフィック決定部１３４はモニタ情報取得部１３２からのモニタ情報に基づいて、利用する“プレゼンテーショングラフィックストリームデータ”及び“インタラクティブグラフィックストリームデータ”を決定する。この場合、“テキストサブタイトルストリームデータ”の属性情報では同一内容識別子ＲＤと表示解像度を持つことができないが、フォントサイズ決定部１３５はモニタ情報取得部１３２からのモニタ情報に基づき、光ディスクに記録されたデフォルトのフォントサイズより大きなフォントサイズを指定するか否かを判断し、フォント処理部１１３に命令し、フォント処理を行うようにしてもよい。
【００５５】
なお、視覚効果のさらなる向上のため、光ディスクに記録された同一内容の異なる表示解像度の副映像毎に配色を変えた、同一内容の異なる表示解像度の副映像データを記録してもよい。
【００５６】
また、視覚効果のさらなる向上のため、１つ又は複数のボタンの配置が成され、選択されたボタン（カーソル）が表示されるメニュー画面等の副映像データにおいて、異なる表示解像度毎にカーソル配色を変えた、同一内容の異なる表示解像度の副映像データを記録してもよい。
【００５７】
実施の形態１の光ディスク再生装置は、車載環境におけるモニタ設置位置として、カーナビゲーション機器の地図情報を表示するためのモニタとの兼用による前席用（主に助手席用）モニタや、前席頭部に搭載するヘッドレストタイプや天井に搭載するフリップダウンタイプ等のモニタが想定され、使用するモニタのモニタサイズに合わせて、字幕やボタンの情報を自動で切り替えることができるために、見やすい字幕やボタンを表示することができる。
【００５８】
また、解像度の大きい副映像を利用することにより、表示モニタのタッチパネルのセンサーの粒度が荒い場合でも、メニュー表示時でセンサーと副映像のボタンずれをより少なくすることができる。
【００５９】
さらに、複数の副映像データを管理する副映像データ管理情報に、同一内容識別子ＲＤを持つことで複数の副映像データの中から同一内容の副映像データの分類を短時間で探索することができる。
【００６０】
さらに副映像データを管理する副映像データ管理情報に、解像度レベル情報ＲＬを持つことで複数の同一内容の副映像データから必要な表示解像度の副映像データを短時間で選択することができる。
【００６１】
実施の形態２．
以下、図７及び図８を参照してこの発明の実施の形態２を説明する。実施の形態２の光ディスク再生装置も、実施の形態１と同様に、Ｂｌｕ−ｒａｙ  Ｄｉｓｃ（以下、ＢＤ）ビデオ等の映像フォーマットで記録された光ディスクを再生することができる。
【００６２】
図７はこの発明の実施の形態２の光ディスク再生装置を示すブロック図である。図７において図１と同様のブロックについては、同一符号を付し、説明を省略する。
【００６３】
実施の形態２の光ディスク再生装置は、実施の形態１と概して同じであるが、以下の点で異なる。即ち、実施の形態１では、モニタ１０４に対してモニタ情報取得処理を行っていたが、実施の形態２では行っていない。
図７に示される、実施の形態２の光ディスク再生装置は、図１の制御部１０２の代わりに制御部１４０を備えている。
制御部１４０は、例えば図８に示されるように構成されている。図８に示される制御部１４０は、図１に示される制御部１０２と概して同じであるが、モニタ情報取得部１３２を備えておらず、代わりに、再生環境設定部１４１を備えている。
【００６４】
再生環境設定部１４１は、再生するタイトル番号、チャプター番号、プレイリスト番号、プレイアイテム番号、再生するクリップＡＶストリームデータに多重化された、主映像、副映像および音声のストリームデータの属性情報の一つであるストリーム番号、光ディスク再生装置のハードウェア仕様に関する情報等が設定されたレジスタ群である。
【００６５】
再生環境設定部１４１は、車載環境設定部１４２を含む。車載環境設定部１４２は、再生環境設定部１４１のハードウェア仕様に関する情報の一つとして、当該光ディスク再生装置が車載環境で用いられるものであることを示す情報を設定するためのものである。車載環境部１４２は光ディスク再生装置を車載環境下で利用する場合にあらかじめ（例えば出荷前に、或いは車車両に搭載する際に）設定しておく。
【００６６】
本実施の形態の光ディスク再生装置にて光ディスクを再生する際、実施の形態１と同様に、ＣＰＵ１２９は光ディスク１２０の物理情報の取得、ファイルシステムデータの解析処理を行い、光ディスクに記録された映像フォーマットの論理情報を読込可能な状態にする。続いて、ＣＰＵ１２９はインデックスファイル、ムービーオブジェクトフィル、プレイリストファイルを実施の形態１と同様に処理し、副映像情報処理部１３３にＳＴＮ＿Ｔａｂｌｅ情報を送信する。
【００６７】
副映像情報解析部１３３は、ＳＴＮ＿Ｔａｂｌｅ情報を解析し、利用可能な“プレゼンテーショングラフィックストリームデータ”及び“インタラクティブグラフィックストリームデータ”の登録情報と属性情報のリストをグラフィック決定部１３４に送り、グラフィック決定部１３４は車載環境設定部１４２に設定された車載環境であることを示す情報ＭＢがあるかを読込み、車載環境であると判断すれば、利用可能な“プレゼンテーショングラフィックストリームデータ”及び“インタラクティブグラフィックストリームデータ”の登録情報に記録された同一内容識別子ＲＤと解像度レベル情報ＲＬに基づいて大きい解像度のグラフィックを選択する。
【００６８】
また、副映像情報解析部１３３は、利用可能な“テキストサブタイトルストリームデータ”の登録情報と属性情報のリストをフォントサイズ決定部１３５に送り、フォントサイズ決定部１３５は、車載環境設定部１４２に設定された車載環境であることを示す情報があるかを読込み、車載環境であると判断すれば、利用する“テキストサブタイトルストリームデータ”の登録情報に記録された同一内容識別子ＲＤと解像度レベル情報ＲＬに基づいて大きいフォントサイズを決定する。
【００６９】
グラフィック決定部１３４、およびフォントサイズ決定部１３５で決定した、利用する“プレゼンテーショングラフィックストリームデータ”及び“インタラクティブグラフィックストリームデータ”、およびフォントサイズが指定された“テキストサブタイトルストリームデータ”は、副映像処理部１１２に送られ、以後実施の形態１同様の処理を行うことで主映像と副映像とで異なる縮尺の表示が可能となる。
【００７０】
なお、実施の形態２では、車載環境設定部１４２に車載環境であることを示す情報を設定しているが、それ以外にモニタサイズ等のモニタ情報を持つことで、グラフィック決定部１３４、フォントサイズ決定部１３５が接続されたモニタに最適な“プレゼンテーショングラフィックストリームデータ”、“インタラクティブグラフィックストリームデータ”、及び“テキストサブタイトルストリームデータ”を選択してもよい。
【００７１】
本実施の形態では、同一内容識別子ＲＤと解像度レベル情報ＲＬをストリームデータの登録情報に（登録情報の一部として）記録した際の例を説明したが、実施の形態１同様にストリームデータの属性情報等の別の場所に（属性情報等の他の情報の一部として）記録して利用してもよい。
【００７２】
さらに、ＢＤ等の光ディスク再生装置では、フラッシュメモリ１５１やＨＤＤ１５２等の記録媒体（点線で示す）をローカル記録領域として利用可能であり、光ディスクとローカル記録領域をあたかも一つのパッケージメディアとして利用できる仕組みを有している。ローカル記録領域は、インターネットとのネットワーク接続可能な光ディスク再生装置において、光ディスクに記録された、インターネット接続を行うプログラムを実行された際にインターネット上にある光ディスクの関連サイトに接続され、光ディスクに関連した主映像及び副映像並びに音声をダウンロードして記録するために利用される。
【００７３】
例えば、図７に点線で示すように、インターネットとのネットワーク接続のための入出力Ｉ／Ｆ１５３を設け、該入出力Ｉ／Ｆ１５３を用いたネットワーク接続を通じて、光ディスクに関連した主映像及び副映像並びに音声をダウンロードする場合に、車載環境設定部１４２を読込み、異なる解像度で表示可能な“プレゼンテーショングラフィックストリームデータ”、“インタラクティブグラフィックストリームデータ”、及び“テキストサブタイトルストリームデータ”、複数のフォントサイズを有するフォントデータ、およびそれらを再生させるための再生経路の情報を有するプレイリストファイルをローカル記憶領域（１５１、１５２）にダウンロードして利用してもよい。
【００７４】
この場合、インターネット上の関連サイトへのアクセスを、光ディスクに記録されたプログラムに基づいて、ＣＰＵ１２９が行うようにしても良い。
【００７５】
なお、実施の形態１および２では、主映像、副映像及びフォントデータ並びに音声および再生制御情報を記録したリムーバブル記憶媒体である、光ディスクで説明してきたが、主映像及び副映像及びフォントデータ並びに音声および再生制御情報が記録されたＨＤＤ等の内部記録領域から映像再生する再生装置や、主映像、副映像及びフォントデータ並びに音声および再生制御情報が記録された再生装置外の記憶媒体から、放送波やネットワークを通じて映像再生する再生装置でも同様の処理をしてもよい。
【００７６】
実施の形態２の光ディスク再生装置のローカル記録領域が可搬型記録媒体の場合、別の光ディスク再生装置で、光ディスクに関連した主映像及び副映像並びに音声をダウンロードする場合に、車載環境設定部１４２のデータを読込み、異なる解像度で表示可能な“プレゼンテーショングラフィックストリームデータ”、“インタラクティブグラフィックストリームデータ”、及び“テキストサブタイトルストリームデータ”、複数のフォントサイズを有するフォントデータ、およびそれらを再生させるための再生経路の情報を有するプレイリストファイルを記録した可搬型記録媒体を、実施の形態２の光ディスク再生装置のローカル記録領域として利用してもよい。
【００７７】
実施の形態２では、実施の形態１と同様の効果が得られる以外に、ローカル記録領域およびネットワーク接続を用いることで、光ディスクに同一内容の異なる解像度の副映像が記録されていなくても、インターネット上に光ディスクに対応した同一内容の異なる解像度の副映像があれば入手して利用することができる。
【００７８】
なお、上記の実施の形態では、モニタ情報取得部１３２、副映像情報解析部１３３、グラフィック決定部１３４、フォントサイズ決定部１３５がＣＰＵ１２９とは別のものとして説明されているが、これらの機能をソフトウエアにより、即ちプログラムに従って動作するＣＰＵ（ＣＰＵ１２９、あるいはこれらとは別個のＣＰＵ）によって実現することとしても良い。
【符号の説明】
【００７９】
１０１  リモコン受光部、  １２９  ＣＰＵ、  １０３  画像出力部、  １０４  モニタ、  １０５  音声出力部、  １０６  スピーカー、  １０８  映像再生部、  １１１  主映像処理部、  １１１  副映像処理部、  １１２  フォント処理部、  １１４  音声処理部、  １２０  光ディスク、  １２１  主映像データ、  １２２  副映像データ、  １２３  フォントデータ、  １２４  音声データ、  １２５  再生制御データ、  １３１  メモリ、  １３３  副映像情報解析部、  １３４  グラフィック決定部、  １３５  フォントサイズ決定部、  １４１  再生環境設定部、  １４２  車載環境設定部。
【図１】
2010277640.tif 000003
【図２】
2010277640.tif 000004
【図３】
2010277640.tif 000005
【図４】
2010277640.tif 000006
【図５】
2010277640.tif 000007
【図６】
2010277640.tif 000008
【図７】
2010277640.tif 000009
【図８】
2010277640.tif 000010